(57)【特許請求の範囲】
【請求項１】
移動ＩＰ電話ネットワークにおいて移動ターミナルに接続されたＩＰターミナルの位置情報を使用してルーティングを実行する方法であって、コールがＩＰターミナルから別の加入者へ発信されるときに、
上記ＩＰターミナルによってそのコールに対しＩＰターミナルの位置情報が必要とされるかどうかチェックし、
上記ＩＰターミナルによって上記移動ターミナルから位置情報を得て、
必要とされるときには上記ＩＰターミナルによって上記位置情報をコール設定データに追加し、
上記コール設定データ及び位置情報に基づいて行先アドレスを決定し、そして
その決定された行先アドレスにコールをルーティングする、
という段階を備えた方法。
【請求項２】
上記位置情報は、ＩＰターミナルにおけるコール制御アプリケーションと、上記移動ターミナル（ＭＴ）との間の通信によって与えられる請求項１に記載の方法。
【請求項３】
上記コールは、位置情報を必要とする特殊なサービス番号に向けられ、そして行先アドレスを決定する上記段階は、 上記位置情報に基づいて特殊なサービス番号又はエイリアスを行先アドレスにマッピングするという段階を含む請求項１に記載の方法。
【請求項４】
移動ＩＰ電話ネットワークにおいて移動ターミナルに接続されたＩＰターミナルの位置情報を使用してルーティングを実行するシステムにおいて、
コールを別の加入者へ発信するＩＰターミナルと、
ＩＰターミナルから発信されたコールを受信しそして行先アドレスへコールをルーティングするための制御ユニットとを備え、
上記ＩＰターミナルは、そのコールに対しＩＰターミナルの位置情報が必要とされるかどうかチェックし、上記移動ターミナルから位置情報を得て、そして必要とされるときには上記位置情報をコール設定データに追加するように構成されており、そして
上記制御ユニットは、上記コール設定データ及び位置情報に基づいて行先アドレスを決定し、そしてその決定された行先アドレスにコールをルーティングするように構成されたシステム。
【請求項５】
上記ＩＰターミナルはコール制御アプリケーションを備え、該コール制御アプリケーションと上記移動ターミナル（ＭＴ）との間の通信によって上記位置情報を得るように構成された請求項４に記載のシステム。
【請求項６】
ＩＰターミナルから発信されたコールは、位置情報を必要とする特殊なサービス番号に向けられ、そして上記制御ユニットは、上記位置情報に基づいて特殊なサービス番号又はエイリアスを行先アドレスにマッピングすることにより行先アドレスを決定する請求項４に記載のシステム。
【請求項７】
移動ＩＰ電話ネットワークにおけるＩＰターミナルの位置情報を使用してルーティングを実行するシステムのＩＰターミナルであって、このＩＰターミナルは、移動ターミナルに接続され、コールを別の加入者へ発信するよう構成され、
上記ＩＰターミナルは、そのコールに対しＩＰターミナルの位置情報が必要とされるかどうかチェックし、上記移動ターミナルから位置情報を得て、そして必要とされるときには上記位置情報をコール設定データに追加するように構成されたＩＰターミナル。
【請求項８】
移動ＩＰ電話ネットワークにおけるＩＰターミナルの位置情報を使用してルーティングを実行するシステムの制御ユニットであって、この制御ユニットは、移動ターミナルに接続されたＩＰターミナルから別の加入者へ発信されたコールと共に、ＩＰターミナルの位置情報を含むコール設定データを受け取り、
上記制御ユニットは、上記コール設定データ及び位置情報に基づいて行先アドレスを決定し、そしてその決定された行先アドレスにコールをルーティングするように構成された制御ユニット。
【発明の詳細な説明】
【０００１】
【技術分野】
本発明は、移動インターネットプロトコル（ＩＰ）電話ネットワークにおける加入者位置情報の使用に係る。より詳細には、本発明は、移動ＩＰ電話ネットワークにおけるＩＰターミナルの位置情報を使用してルーティングを実行する方法及びシステムに係る。
【０００２】
【背景技術】
ＧＳＭ（移動通信用のグローバルシステム）のような従来の移動回路交換ネットワークでは、移動ステーションの位置情報がＢＳＳ（ベースステーションシステム）によりネットワークに指示される。移動ＩＰ電話ネットワークでは、移動ＩＰ関連サービスが、ＧＰＲＳ（汎用パケット無線サービス）のような基礎的なアクセスネットワークに対して完全に透過的であり、従って、アクセスネットワークは、移動ＩＰ電話コアネットワークに位置情報を与える手段をもたない。それ故、ＩＰ電話ネットワークにおいて移動加入者の位置情報が必要とされる場合には、位置情報（例えば、セルＩＤ）が、それを使用できるアプリケーションに必ずしも示されない。
【０００３】
【発明の開示】
それ故、本発明の目的は、移動ＩＰ電話ネットワークにおけるアプリケーション機能を改善することである。
本発明の１つの特徴によれば、この目的は、移動ＩＰ電話ネットワークにおけるＩＰターミナルの位置情報を使用してルーティングを実行するシステムにより達成される。このシステムは、図１に示すように、移動ＩＰ電話ネットワークの加入者であるＩＰターミナルと、制御ユニットとを備えている。図１は、移動ＩＰ電話ネットワークの要素を示すブロック回路図である。制御ユニットは、ＩＰターミナルにおいて別の加入者へと発信されたコールを受け取る。ＩＰターミナルからコールが発信されるときに、ＩＰターミナルは、そのコールに対してＩＰターミナルの位置情報が必要とされるかどうかチェックし、そして必要とされるときには、位置情報をコール設定データに追加する。次いで、制御ユニットは、コールを受け取ると、コール設定データ及び位置情報に基づいて被呼加入者のアドレス即ち行先アドレスを決定し、そしてその決定されたアドレスへコールをルーティングする。
【０００４】
ＩＰターミナルのコール制御アプリケーションは、それに接続された移動ターミナルＭＴと通信することによってＩＰターミナルの位置情報を得る。ＩＰターミナルのコール制御アプリケーションは、移動ターミナルからセルＩＤのような位置情報を要求する。
ＩＰターミナルから発信されたコールは、ＩＰターミナルの位置情報を要求する特殊なサービス番号へ向けられる。この場合に、制御ユニットは、位置情報に基づいて加入者即ち行先アドレスに対して特殊なサービス番号即ちエイリアスをマップする。
本発明の別の特徴によれば、上記目的は、移動ＩＰ電話ネットワークにおけるＩＰターミナルの位置情報を使用してルーティングを実行する方法によって達成される。
【０００５】
図２は、本発明による方法の基本的な段階を示すフローチャートである。
第１段階において、コールが移動ＩＰ電話ネットワークのＩＰターミナルから別の加入者へ発信される。次の段階では、そのコールに対してＩＰターミナルの位置情報が必要とされるかどうかチェックされる。位置情報が必要とされるときには、位置情報をコール設定データに追加する段階が続く。次いで、コール設定データ及び位置情報に基づいて行先アドレスが決定される。位置情報が必要とされない場合には、コール設定データに位置情報が追加されず、加入者アドレスは、コール設定データのみに基づいて決定される。行先アドレスが決定された後、その決定された行先アドレスへコールがルーティングされる。
【０００６】
位置情報は、ＩＰターミナルにおけるコール制御アプリケーションと、専用の移動ターミナルＭＴとの間の通信により与えられる。
本発明の更に別の特徴によれば、上記目的は、移動ＩＰ電話ネットワークにおけるＩＰターミナルの位置情報を使用してルーティングを実行するシステムのＩＰターミナルによって達成される。このＩＰターミナルは、コールを別の加入者へ発信するよう構成され、上記ＩＰターミナルは、そのコールに対しＩＰターミナルの位置情報が必要とされるかどうかチェックし、そして必要とされるときには位置情報をコール設定データに追加する。
【０００７】
更に、本発明の更に別の特徴によれば、上記目的は、移動ＩＰ電話ネットワークにおけるＩＰターミナルの位置情報を使用してルーティングを実行するシステムの制御ユニットにより達成される。この制御ユニットは、ＩＰターミナルから別の加入者へ発信されたコールと共に、ＩＰターミナルの位置情報を含むコール設定データを受け取る。次いで、制御ユニットは、コール設定データ及び位置情報に基づいて加入者即ち行先アドレスを決定し、そしてその決定された行先アドレスにコールをルーティングする。
本発明では、移動ＩＰ電話ネットワークにおけるアプリケーション機能を改善することができる。
本発明によれば、加入者位置情報は、要求があったときに得ることもできるし、又はＩＰターミナルのような加入者に関連した移動ターミナルから自動的に得ることができる。位置情報は、特殊な加入者又は番号への位置ベースのルーティングに使用することができる。
【０００８】
【発明を実施するための最良の形態】
以下、添付図面を参照して、本発明の好ましい実施形態を詳細に説明する。
図３及び４を参照して、本発明の第１の実施形態を説明する。第１の実施形態は、特殊なサービス番号への位置ベースのルーティングに関する。
図３は、Ｈ．３２３環境を使用して特殊なサービス番号へ位置依存ルーティングを行う設定手順を示す。本発明の第１の実施形態によれば、加入者の位置情報は、次のようにして、移動ＩＰ電話コアネットワークへ供給される。図３において、ＩＰターミナルＩＰＴＥは、通常のＨ．３２３手順を使用して、コール状態制御ファンクション（ＣＳＣＦ）からの受け入れを要求する。より詳細には、メッセージ１において、加入者ＩＰＴＥは、要求された帯域巾をもつ受け入れ要求（ＡＲＱ）を、ＩＰＴＥが現在登録されているＣＳＣＦへ送信する。メッセージ２において、ＣＳＣＦは、それがコールを受け入れできる場合に、受け入れ確認（ＡＣＦ）を、それ自身のＨ．２２５．０コールシグナリング搬送アドレス（ＴＡ）と共に返送する。というのは、ＣＳＣＦルーティングコールモデルが使用されるからである。
【０００９】
アプリケーションは、このコールに対しＩＰＴＥの位置情報を得る必要があることを知る。位置情報は、移動ターミナルＭＴから、移動知覚Ｈ．３２３アプリケーションとＭＴとの間のインターフェイスを経て得られる。従って、メッセージ３において、Ｈ．３２３アプリケーションは、ＩＰＴＥの位置を指示する現在セルＩＤをＭＴに問合せる。その際に、メッセージ４において、ＭＴはセルＩＤを返送する。
【００１０】
位置情報は、設定メッセージ５の一部分としてＣＳＣＦへ通される。メッセージ５において、加入者ＩＰＴＥは、設定メッセージを、設定メッセージのユーザ対ユーザ情報エレメント（ＵＵＩＥ）の非標準データフィールド（又は専用フィールド）における行先アドレス及びセルＩＤである特殊なエイリアスと共に送信する。ここで、ＣＳＣＦは、加入者ＩＰＴＥが位置するエリアに対して最も近いオフィス又は加入者のＥ．１６４又はエイリアスへのエイリアス変換を行うために必要な情報（ＰｉｚｚａＨｕｔ．ｈｕ及びセルＩＤのようなエイリアス）を有する。換言すれば、図３のステップ６において、ＣＳＣＦは、特殊なサービス番号又はエイリアスから、ＩＰターミナルの位置に基づくＥ．１６４番号又はエイリアスへのマッピングを実行する。これは、ＣＳＣＦに組み込まれたデータベースを使用することにより行われるか、又は任意であるが、別のネットワークのデータベースに要求を転送することにより行われる。
【００１１】
メッセージ７において、ＣＳＣＦは、設定メッセージを、被呼者の番号である新たなＥ．１６４番号と共に、媒体ゲートウェイ制御ファンクション（ＭＧＣＦ）へ送信する。その際に、ＭＧＣＦは、Ｈ．３２３設定メッセージを、シグトラン(Sigtran)を経て搬送される初期アドレスメッセージ（ＩＡＭ）へと変換し、そしてメッセージ８において、ＩＡＭを搬送シグナリングゲートウェイ（Ｔ−ＳＧＷ）へ送信し、ＩＡＭは、新たなＥ．１６４番号を含む。Ｔ−ＳＧＷは、シグトランのＩＡＭをＳＳ７のＩＡＭに変換し、そしてそれをメッセージ９に基づいてローカル交換機へ送信する。メッセージ１０において、ローカル交換機は、ローカルピザハット(PizzaHut)オフィスへ向けてコール設定を開始する。
【００１２】
被呼加入者（ローカルピザハットオフィス）は、コールに応答するとき、接続メッセージ（メッセージ１１）をローカル交換機へ送信し、そしてローカル交換機は、接続確認（メッセージ１１）で確認する。メッセージ１２において、ローカル交換機は、接続メッセージに対応するＳＳ７応答メッセージ（ＡＮＭ）をＴ−ＳＧＷへ送信する。Ｔ−ＳＧＷは、ＳＳ７のＡＮＭをシグトランのＡＮＭに変換し、そしてそれをメッセージ１３においてＭＧＣＦへ送信する。最終的に、メッセージ１４において、ＭＧＣＦは、シグトランのＡＮＭに対応する接続メッセージを、ＣＳＣＦを経てＩＰＴＥへ送信する。この点において、加入者ＩＰＴＥと被呼加入者即ちローカルピザハットオフィスとの間には両方向通信が可能となる。
【００１３】
変換が終了し、そして一方の当事者（この場合は、ローカルピザハットオフィス）が電話を切った後に、切断メッセージ１５（図４）がローカルピザハットオフィスからローカル交換機へ送信される。その際に、ローカルピザハットオフィスとローカル交換機との間のユーザネットワークインターフェイス（ＵＮＩ）チャンネルがメッセージ１６に基づいて解除される。更に、メッセージ１７において、ローカル交換機とＴ−ＳＧＷとの間のネットワーク対ネットワークインターフェイス（ＮＮＩ）チャンネルが解除される。その後、Ｔ−ＳＧＷとＭＧＣＦとの間のリソースがメッセージ１８において解除される。最終的に、メッセージ１９において、ＭＧＣＦとＣＳＣＦとＩＰＴＥとの間のリソースが解除される。
【００１４】
以下、図５を参照して本発明の第２の実施形態を説明する。この第２の実施形態は、ＩＰターミナルＩＰＴＥにおいて発信される非常コールに関連するものである。
非常コールの場合には、第１メッセージが、アプリケーションに位置情報を与えるための移動ターミナルＭＴに対する暗黙の要求である。換言すれば、移動ＩＰ電話ネットワークにおけるＩＰターミナルＩＰＴＥのユーザが、例えば、自分のＨ．３２３アプリケーションのＥＣボタンを押すことにより非常コールを開始したときに、アプリケーション自体が最初にＭＴに通知し、そしてメッセージ１においてＥＣパケットデータプロトコル（ＰＤＰ）コンテクスト確立を要求し、ここでは、ＧＰＲＳアクセスを仮定する。
【００１５】
メッセージ２において、ＭＴは、アクチベートＥＣ  ＰＤＰコンテクスト要求をエンハンス型サービングＧＰＲＳサポートノード（Ｅ−ＳＧＳＮ）に送信し、移動ＩＰ電話ネットワークへのアクセスを生成する。ＥＣ  ＰＤＰコンテクストは、高いプライオリティと、保証された帯域巾のサービスクオリティ（ＱｏＳ）とを使用しなければならないことに注意されたい。Ｅ−ＳＧＳＮは、クリエートＥＣ  ＰＤＰコンテクスト要求を、メッセージ３において、移動ＩＰ電話ネットワークを指すアクセスポイント名（ＡＰＮ）により識別されたエンハンス型ゲートウェイＧＰＲＳサポートノード（Ｅ−ＧＧＳＮ）へ送信する。Ｅ−ＧＧＳＮは、ＥＣ  ＰＤＰコンテクストを生成した後、メッセージ４において、Ｅ−ＳＧＳＮへ応答を送信する。
【００１６】
メッセージ５において、Ｅ−ＳＧＳＮは、ＥＣ  ＰＤＰコンテクストアクチベーションに対するＭＴからの要求の受け入れを指示する。ＥＣ  ＰＤＰコンテクストが確立された後に、ＭＴは、メッセージ６においてＨ．３２３アプリケーションへセルＩＤを送信し、それを、非常設定メッセージのユーザ対ユーザ情報エレメント（ＵＵＩＥ）の非標準データフィールド（又は専用フィールド）に入れる。
ここで、ＩＰＴＥは、移動ＩＰ電話ネットワークへのプライオリティの高いアクセス権を有しており、その要求にサービスできるＣＳＣＦを発見しなければならない。より詳細には、アプリケーションは、ネットワークにおいて使用できるＣＳＣＦを知らないために、Ｈ．３２３を用いてゲートキーパー発見手順を実行しなければならない。それ故、メッセージ７において、ＩＰＴＥは、ゲートキーパー要求（ＧＲＱ）メッセージを、ゲートキーパー確認（ＧＣＦ）メッセージにおいてＨ．２２５．０コールシグナリングＴＡを要求するという非標準データフィールド（又は専用フィールド）の指示と共に送信する。
【００１７】
ＩＰＴＥにサービスできる全てのＣＳＣＦは、メッセージ８において、ＧＣＦメッセージの非標準データフィールド（又は専用フィールド）にＨ．２２５．０コールシグナリングＴＡを含むＧＣＦメッセージで応答しなければならない。これは非常コールであるから、登録（登録要求（ＲＲＱ）、登録確認（ＲＣＦ）及び受け入れ（ＡＲＱ、ＡＣＦ））は必要とされない。又、ＩＰＴＥは、ＧＣＦメッセージからＨ．２２５．０コールシグナリングＴＡも知り、従って、コール制御シグナリングの送信を開始することができる。メッセージ９において、ＩＰＴＥは、非常設定メッセージを、ＵＵＩＥの一部分として非標準データフィールド（又は専用フィールド）におけるセルＩＤと共にＣＳＣＦへ送信する。
【００１８】
図５のステップ１０では、ＣＳＣＦは、必要な位置ベースの番号変換を実行し、そして最も近いＥＣコールセンターの新たなＥ．１６４番号が、ＣＳＣＦからＭＧＣＦへの設定メッセージの被呼者番号となる。次いで、メッセージ１１において、ＣＳＣＦは、設定メッセージを、被呼者番号における最も近いＥＣコールセンターのＥ．１６４番号と共にＭＧＣＦへ送信する。
メッセージ１１に続くメッセージ、即ちメッセージ１２ないし２２は、図３及び４を参照して第１の実施形態で説明したメッセージ８ないし１８に対応し、従って、ここでは説明を省略する。
【００１９】
図５のメッセージ２３によれば、切断メッセージがＥＣコールセンターからローカル交換機へ送信され、そしてＥＣコールセンターとローカル交換機とＴ−ＳＷＧとＭＧＣＦとの間の各リソースが解除された後に、ＭＧＣＦとＣＳＣＦとＩＰＴＥとの間のリソースが解除される。
ＩＰＴＥは、ＥＣ特性のために支払をする必要のない高いプライオリティ及び保証された帯域巾のＱｏＳ  ＰＤＰコンテクストをアクチベートしたので、コールが解除された後に、Ｈ．３２３アプリケーションは、解除通知をメッセージ２４においてＭＴへ送信し、従って、ＭＴは、上記ＰＤＰコンテクストをデアクチベートすることができる。メッセージ２５において、通常のユーザ開始ＰＤＰコンテクストデアクチベーション手順が実行される。最後に、ＭＴは、メッセージ２６において、ＥＣ  ＰＤＰコンテクストデアクチベーションを確認する。
【００２０】
本発明では、移動ＩＰ電話ネットワークにおけるアプリケーション機能を改善することができる。
本発明によれば、加入者位置情報は、要求に応じて得ることもできるし、又はＩＰターミナルに存在する移動ターミナルから自動的に得ることもできる。位置情報は、特別な番号又はエアリアスへ位置に基づいてルーティングするのに使用できる。
以上、好ましい実施形態を参照して本発明を説明したが、これは、単に本発明を例示するものに過ぎず、本発明を何ら限定するものではない。特許請求の範囲に規定された本発明に精神及び範囲から逸脱せずに種々の変更や修正がなされ得ることが当業者に明らかであろう。
【図面の簡単な説明】
【図１】  移動ＩＰ電話ネットワークにおける基本的要素のブロック回路図である。
【図２】  本発明による方法の基本的段階を示すフローチャートである。
【図３】  本発明の第１の実施形態による位置依存ルーティングにおけるＩＰターミナルと加入者との間の設定手順を示すシグナリング図である。
【図４】  本発明の第１の実施形態による位置依存ルーティングにおける解除手順を示すシグナリング図である。
【図５】  本発明の第２の実施形態による非常コールの場合のＩＰターミナルと制御ユニットとの間の設定手順を示すシグナリング図である。
【図１】
0003744854.tif 000002
【図２】
0003744854.tif 000003
【図３】
0003744854.tif 000004
【図４】
0003744854.tif 000005
【図５】
0003744854.tif 000006